(57)【特許請求の範囲】
【請求項１】
その端面を接着剤によって接着させるカウンター本体の、互いの接合部分の下面にそれぞれ接合補助材を接着させた後、カウンター本体どうしを接合するカウンターの接合方法であって、前記接合補助材を加圧にて変形可能な木質板材にて形成するとともにその端面がカウンター本体の端面から突出するよう接着させ、前記カウンター本体及び前記接合補助材の端面に接着剤を塗布するとともに前記カウンター本体どうしをそれらの端面間に隙間を生じた状態で合わせた後に前記接合補助材の端面どうしを接合治具を用いて互いに加圧し変形させ、前記隙間を潰してカウンター本体の端面同士を接合するカウンターの接合方法。
【請求項２】
前記接合治具は、カウンター本体の接合部分の両側に配設されてその下面が同カウンター本体の表面に離脱可能に仮接着される対となる仮着体と、この両仮着体間に付設されて両側のカウンター本体を引き寄せる連結具と、一方の仮着体から他方の仮着体上に延設される支持板と、この支持板の延設側の先端部と下方の仮着体とを連結する共に、この仮着体を調整自在に引き上げて両カウンター本体の表面を一致させる調整ねじとから成り、同接合治具を用いて接合させたのちにその接合治具を取り除くことを特徴とする請求項１記載のカウンターの接合方法。
【請求項３】
前記木質板材をパーティクルボードとしたことを特徴とする請求項１又は２記載のカウンターの接合方法。
【発明の詳細な説明】
【０００１】
【発明の属する技術分野】
本発明は、カウンターの接合方法に関するものである。
【０００２】
【従来の技術】
従来から、図３に示すように、カウンター本体１，１どうしを接合させて、例えば、Ｌ字形などの各種形状若しくは各種大きさをもったカウンターに形成することが行われている。また、このカウンターは、例えば人造大理石のカウンター本体１が使用されて形成される場合がある。このようなカウンター本体１，１の接合構造は、多くの場合、同図に示すように、接合する両カウンター本体１，１の裏面端部に接合補助材となる桟材を固着させると共に、両桟材を図示していないボルト、ナットにて締結することが行われている。
【０００３】
しかしながら、接合するカウンター本体１，１の端面および表面には、微妙な凹凸若しくはうねりがあることが多く、また、接合時の端面の合わせの精度が不十分となる場合がある。したがって、接合しただけではカウンター本体１，１の表面に段差が発生することがあり、さらに、上記桟材に透孔を形成しこの位置で水平方向にのみ締めつけるのでは、接合するカウンター本体１，１の表面の段差の調整が実質上困難なことがあった。
【０００４】
そのため、本出願人は、特開平７−２８４４２１として開示されているもので、図２に示すような、カウンター上面側から、カウンター本体１，１の表面位置を合わせること及び、ボルト、ナットを締結して接合するなどの作業が行えるカウンターの接合治具３および接合方法を提案している。この接合治具３は、その端面１ａを接着剤によって接着させるカウンター本体１，１の、互いの接合部分の下面にそれぞれ接合補助材を接着させて、カウンター本体１，１どうしを接合するときに使用するのに適している。そして、同図に示すように、カウンター本体１，１の接合部分の両側に配設されてその下面が同カウンター本体１，１の表面に離脱可能に仮接着される対となる仮着体４，４と、この両仮着体４，４間に付設されて両側のカウンター本体１，１を引き寄せる連結具５と、一方の仮着体４から他方の仮着体４上に延設される支持板６と、この支持板６の延設側の先端部と下方の仮着体４とを連結する共に、この仮着体４を調整自在に引き上げて両カウンター本体１，１の表面を一致させる調整ねじ７とから成る。
【０００５】
したがって、上記の接合方法によると、カウンター本体１，１の端面１ａ，１ａを接着剤によって接着させるそのカウンター上面側から、接合部の表面位置を合わせることができて作業性が良い。
【０００６】
【発明が解決しようとする課題】
上記従来の技術において、図３に示す、カウンター本体１，１の互いの接合部分の下面にそれぞれ接着される接合補助材Ａは、多くの場合に施工現場にて生ずる端材であり、カウンター本体１，１と同一材料のものが使用される。上記の接合部に隙間が生じないようにするためには、上記の接合補助材Ａ，Ａをその端面がカウンター本体１，１の端面１ａと同一面となるよう裏面に接着する必要があるが、隙間を生じさせないため、図３（ａ）に示すように、接合補助材２の端面をカウンター本体１，１の端面から控えて接着されることがあった。そのため、図３（ｂ）に示すように、接合補助材２，２の端面間に隙間Ｃが生じて十分な接着力が確保出来ないという問題があった。
【０００７】
本発明は、上記事由に鑑みてなしたもので、その目的とするところは、カウンター本体どうしに隙間が生ずることなく、接着面積を十分確保することができるカウンターの接合方法を提供することにある。
【０００８】
【課題を解決するための手段】
上記目的を達成するために、本発明のカウンターの接合方法にあっては、その端面を接着剤によって接着させるカウンター本体の、互いの接合部分の下面にそれぞれ接合補助材を接着させた後、カウンター本体どうしを接合するカウンターの接合方法であって、前記接合補助材を加圧にて変形可能な木質板材にて形成するとともにその端面がカウンター本体の端面から突出するよう接着させ、前記カウンター本体及び前記接合補助材の端面に接着剤を塗布するとともに前記カウンター本体どうしをそれらの端面間に隙間を生じた状態で合わせた後に前記接合補助材の端面どうしを接合治具を用いて互いに加圧し変形させ、前記隙間を潰してカウンター本体の端面同士を接合することを特徴としている。
【０００９】
これにより、互いの接合部分の下面にそれぞれ接合補助材を接着させた後、カウンター本体どうしの端面を接着剤によって接着させるカウンターの接合方法において、接着剤を塗布した後に、接合治具を用いてカウンター本体の端面どうしが圧接されることにて、加圧にて変形可能な木質板材にて形成されたその端面がカウンター本体の端面から突出するよう接着された接合補助材が変形されて接合される。
【００１０】
そして、上記接合治具は、カウンター本体の接合部分の両側に配設されてその下面が同カウンター本体の表面に離脱可能に仮接着される対となる仮着体と、この両仮着体間に付設されて両側のカウンター本体を引き寄せる連結具と、一方の仮着体から他方の仮着体上に延設される支持板と、この支持板の延設側の先端部と下方の仮着体とを連結する共に、この仮着体を調整自在に引き上げて両カウンター本体の表面を一致させる調整ねじとから成り、同接合治具を用いて接合させたのちにその接合治具を取り除くことが好ましい。
【００１１】
この場合、その下面がカウンター本体の表面に離脱可能に仮接着されカウンター本体の接合部分の両側に対となるよう配設される仮着体と、この両仮着体間に付設される両側のカウンター本体を引き寄せる連結具と、一方の仮着体から他方の仮着体上に延設される支持板と、この支持板の延設側の先端部と下方の仮着体とを連結する共に、この仮着体を調整自在に引き上げて両カウンター本体の表面を一致させる調整ねじとから成る接合治具を用いて、接合するカウンター本体の端面を両カウンター本体の表面を一致させると共に接合補助材を変形させて密着させた状態に保持して接着させることができ、その後その接合治具が取り除かれ接合される。
【００１２】
また、上記木質板材をパーティクルボードとするのが好ましい。
【００１３】
この場合、カウンター本体の端面からパーティクルボードにて形成された接合補助材の端面が突出するよう接着されて、同接合補助材が変形されて接合される。
【００１４】
【発明の実施の形態】
図１、２は、本発明の請求項１乃至３全てに対応する一実施の形態を示し、図１は、本発明の一実施の形態のカウンターの接合方法を示す説明図である。図２は、同カウンターの接合方法を示す斜視図である。
【００１５】
この実施の形態のカウンターの接合方法は、その端面１ａを接着剤９によって接着させるカウンター本体１の、互いの接合部分の下面にそれぞれ接合補助材２，２を接着させた後、カウンター本体１，１どうしを接合するカウンターの接合方法であって、前記接合補助材２，２を加圧にて変形可能な木質板材にて形成するとともにその端面２ａがカウンター本体１の端面１ａから突出するよう接着させ、その端面１ａ，２ａに接着剤９を塗布した後に同端面２ａ，２ａどうしを接合治具３を用いて互いに加圧し変形させ接合する。
【００１６】
又、該実施の形態のカウンターの接合方法においては、前記接合治具３は、カウンター本体１，１の接合部分の両側に配設されてその下面が同カウンター本体１，１の表面に離脱可能に仮接着される対となる仮着体４，４と、この両仮着体４，４間に付設されて両側のカウンター本体１，１を引き寄せる連結具５と、一方の仮着体４から他方の仮着体４上に延設される支持板６と、この支持板６の延設側の先端部と下方の仮着体４とを連結する共に、この仮着体４を調整自在に引き上げて両カウンター本体１，１の表面を一致させる調整ねじ７とから成り、同接合治具３を用いて接合させたのちにその接合治具３を取り除くこととしてもいる。又、該実施の形態のカウンターの接合方法においては、木質板材をパーティクルボードとしてもいる。
【００１７】
詳しくは、このカウンターの接合方法は、カウンター本体１，１どうしを接合させて、例えば、Ｌ字形のカウンターに形成するのに使用され、カウンター本体１は、人造大理石と呼ばれているアクリル系樹脂やポリエステル系樹脂による樹脂材料にて形成されており、その奥行きがそれぞれ約６５０ｍｍ、厚みが約 ６ｍｍのものである。
【００１８】
接合補助材２は、加圧にて変形可能な木質板材として、この場合、厚みが ６ｍｍ程度のパーティクルボードにて形成されている。このパーティクルボードは、主に木材の小片等を結合剤を用いて熱圧して作った板材で、特にその切断面は加圧にて変形し易い。この接合補助材２は、その接合される一方の端面２ａを切断面として、カウンター本体１の端面１ａより僅か寸法だけ突出させて設けてあり、後述する接着剤９を塗布後に接合治具３にて加圧されてその突出分だけ収縮変形されて、カウンター本体１，１の接合部分に隙間無く接合可能なようにしている。
【００１９】
上記カウンター本体１及び接合補助材２を接着する接着剤９としては、シアノアクリレート系またはポリエステル系などの主剤と硬化促進剤とから成る二液のものを使用することができる。
【００２０】
接合治具３は、従来の技術の項にて示したものと同一のもので、図２に示すように、仮着体４はカウンター本体１の接合面である端面１ａ，１ａの両側に対に配設され、下面がカウンター本体１の表面に離脱可能に仮接着されている。５は両仮着体４，４に付設されて両カウンター本体１を引き寄せる連結具であって、ボルト、ナットを両仮着体４，４に設けられている貫通孔に挿通して締結するようにしている。６は一方の仮着体４に蝶ボルトによって固着され、この固着された仮着体４から他方の仮着体４上に延設される支持板である。この支持板６の延設側の先端部と下方の仮着体４とは調整ねじ７によって連結されている。この調整ねじ７は連結した仮着体４を支持板６側に調整自在に引き上げるように構成されている。
【００２１】
なお、８，８は接着剤９がカウンター本体１の表面に付着することを防止するマスキングテープである。また、図示していないが、接合する一方のカウンター本体１裏面の接合補助材２に、この接合補助材２の端面２ａからはみ出し沿わせて裏面側に接着剤の流出防止板を取り付けても良い。
【００２２】
仮着体４は、同図に示した如く、長さＡ、幅Ｂ、高さＨがそれぞれ５０、２５、２７ｍｍの略直方体の形状を有する木片として形成され、連結具５となるボルトを通す貫通孔が高さ方向に略中心、長さ方向に略１／３の奥の位置で幅方向に穿設され、蝶ボルトおよび調整ねじ７に螺嵌するねじ孔が幅方向に略中心、長さ方向に略１／３手前の位置で高さ方向に穿設されている。この仮着体４は、その下側および上側の面に柾目の面を用いており、この面を下面として、カウンター本体１の表面に対に仮接着しているが、このように、仮接着する下面に柾目の面を用いることによって、シリコーン系接着剤を使用し良好に離脱可能に仮接着することができる。
【００２３】
つまり、シリコーン系接着剤は、接着したあと完全にカウンター本体１の表面にこびりついて一体化することがなく、接着強度もほどよいのでカウンター本体１を互いに接合して仮着体４が不要になったとき、金槌でたたくなどしてカウンター本体１の表面より容易に取り除くことができるのである。また、柾目の面は強度がほどよいので、シリコーン系接着剤がしみ込んで硬化しても、カウンター本体１の表面に木片が剥離して残ることがなく、従って、この仮着体４をカウンター本体１の表面より簡単に離脱させて取り除くことができる。
【００２４】
また、支持板６は、この図に示すような板状の金具であって、両側に水平片を有し、略中央に位置する垂直部によって両水平片を接続し、両水平片に透孔が穿設されている。蝶ボルトの設けられた一方の水平片は固着される側であって、調整ねじ７が挿通され仮着体４の上記ねじ穴に螺嵌される他方の水平片に向けて、カウンター本体１を調整自在に上下させるようになっている。
【００２５】
したがって、連結具５と調整ねじ７とによって、両カウンター本体１，１の表面を一致させて接合するカウンター本体１，１の端面１ａ，１ａを密着させた状態に保持することができる。このとき、接合するカウンター本体１，１の端面１ａ，１ａ及び接合補助材２，２の端面２ａ，２ａ間に接着剤９を介在させることによって、接合補助材２，２の端部の突出部分が加圧変形されてカウンター本体１，１の端面１ａ，１ａが隙間なく密着され互いに接着されるものであり、このあと接合治具３を除去して表面仕上げをすることによってカウンター本体１，１の接合がなされるものである。
【００２６】
上記のカウンターの接合方法においては、接合治具３の取り付けを、次のようにする。まず、最初に、仮着体４をカウンター本体１，１の表面にシリコーン系接着剤によって仮接着させる。このあと、連結具５となるボルトをカウンター本体１の端面１ａの両側に対に配設されている仮着体４の貫通孔に通し、ナットを締めて約３ｍｍの隙間を開けるようにカウンター本体１，１の端面１ａ，１ａを近接させる。さらに、支持板６の一端を蝶ボルトによって固着させ、他端の調整ねじ７となる長い方の蝶ボルトを取り付ける。このあと、接合するカウンター本体１，１端面間の約３ｍｍの隙間に接着剤９を注入し、筆やへらなどを使用してカウンター本体１，１及び接合補助材２，２の端面１ａ、２ａに塗り込むようにする。前述のポリエステル系などの主剤と硬化促進剤とから成る二液のものを使用するときには、この段階では主剤の方を塗り込むようにする。
【００２７】
次に、連結具５となるボルトをある程度きつく締めると共に、調整ねじ７を調整して両方のカウンター本体１の表面を合わせて段差がなくなるようにする。このときの調整は、この調整ねじ７側のカウンター本体１を引き上げるようにして行うので、このカウンター本体１が最初から高い場合は、支持板６の固着側と調整側とを入れ換えて、必ず調整側のカウンター本体１の表面が低くなるように支持板６を取り付けるようにする。以上のようにしてカウンター本体１の表面の段差をなくしたのち、連結具５を本固定し、カウンター本体１表側のマスキングテープ８上にはみ出した余分の接着剤をへらで取り除き、マスキングテープを剥がす。そして、カウンター本体１の接合部に硬化促進剤をたらし、約１時間程度の時間待って接着剤を硬化さ、カウンター本体１が接着され接合される。
【００２８】
さらにこののちに、カウンター本体１の表面仕上げを行うことによって、カウンター本体１の接合作業を完了することができる。表面仕上げとしては、まず最初に仮着体４を、布で包んだハンマーなどによって横方向からたたいて離脱させる。そして、離脱跡に残ったシリコーン接着剤をへらを用いてかきとり、この跡を例えば消しゴムなどでこすることによってきれいにするとよい。次に、カウンター本体１の接合部の境界線周辺をサンドペーパーなどで研磨して仕上げることができる。
【００２９】
したがって、以上説明したカウンターの接合方法によると、互いの接合部分の下面にそれぞれ接合補助材２を接着させた後、カウンター本体１，１どうしの端面１ａ，１ａを接着剤９によって接着させるカウンターの接合方法において、接着剤９を塗布した後に、接合治具３を用いてカウンター本体１，１の端面１ａ，１ａどうしが圧接されることにて、加圧にて変形可能な木質板材にて形成されたその端面がカウンター本体１，１の端面から突出するよう接着された接合補助材２が変形されて接合されるので、カウンター本体１，１どうしに隙間が生ずることなくて且つ接着面積を十分確保することができる。
【００３０】
そして、その下面がカウンター本体１，１の表面に離脱可能に仮接着されカウンター本体の接合部分の両側に対となるよう配設される仮着体４と、この両仮着体４間に付設される両側のカウンター本体を引き寄せる連結具５と、一方の仮着体４から他方の仮着体４上に延設される支持板６と、この支持板６の延設側の先端部と下方の仮着体４とを連結する共に、この仮着体を調整自在に引き上げて両カウンター本体の表面を一致させる調整ねじ７とから成る接合治具を用いて、接合するカウンター本体１，１の端面を両カウンター本体１，１の表面を一致させると共に密着させた状態に保持して接着させることができ、その後その接合治具３が取り除かれ接合されるので、より美観良く接合できる。また、カウンター本体１の端面１ａからパーティクルボードにて形成された接合補助材２の端面２ａが突出するよう接着されて、同接合補助材２が変形されて接合されるので、より容易に変形させ接着することができて作業性が良い。
【００３１】
なお、本発明は、接合治具は上述されたもの以外に如何なる構成のものであっても良く、また、勿論、接合補助材はパーティクルボード以外の木質板材を含むことは言うまでもない。
【００３２】
【発明の効果】
本発明のカウンターの接合方法は、上述の実施態様の如く実施されて、互いの接合部分の下面にそれぞれ接合補助材を接着させた後、カウンター本体どうしの端面を接着剤によって接着させるカウンターの接合方法において、接着剤を塗布した後に、接合治具を用いてカウンター本体の端面どうしが圧接されることにて、加圧にて変形可能な木質板材にて形成されたその端面がカウンター本体の端面から突出するよう接着された接合補助材が変形されて接合されるので、カウンター本体どうしに隙間が生ずることなくて且つ接着面積を十分確保することができる。
【００３３】
そして、その下面がカウンター本体の表面に離脱可能に仮接着されカウンター本体の接合部分の両側に対となるよう配設される仮着体と、この両仮着体間に付設される両側のカウンター本体を引き寄せる連結具と、一方の仮着体から他方の仮着体上に延設される支持板と、この支持板の延設側の先端部と下方の仮着体とを連結する共に、この仮着体を調整自在に引き上げて両カウンター本体の表面を一致させる調整ねじとから成る接合治具を用いて、接合するカウンター本体の端面を両カウンター本体の表面を一致させると共に接合補助材を変形させて密着させた状態に保持して接着させることができ、その後その接合治具が取り除かれ接合されるので、より美観良く接合できる。
【００３４】
また、カウンター本体の端面からパーティクルボードにて形成された接合補助材の端面が突出するよう接着されて、同接合補助材が変形されて接合されるので、より容易に変形させ接着することができて作業性が良い。
【００３５】
【図面の簡単な説明】
【図１】本発明の一実施形態であるカウンターの接合方法を示す説明図である。
【図２】同カウンターの接合方法を示す斜視図である。
【図３】本発明の従来例であるカウンターの接合方法を示す説明図である。
【符号の説明】
１    カウンター本体
１ａ  端面
２    接合補助材
２ａ  端面
３    接合治具
４    仮着体
５    連結具
６    支持板
７    調整ねじ
９    接着剤
【図１】
0004379960.tif 000002
【図２】
0004379960.tif 000003
【図３】
0004379960.tif 000004